(57)【特許請求の範囲】
【請求項１】
少なくともバリア層と紙層とを有する積層体からなるブランクを紙層が容器外面にくるように折罫に沿って折畳んで組立ててなる６面体形状の紙容器において、
正面外パネルと、この正面外パネルに貼り付けられた正面内パネルとを有する正面壁と、
天壁と、
背面壁と、
底壁と、
一対の側部とを備え、
正面外パネル外面側に一対の開封用ハーフカット線が設けられ、正面外パネルの底壁側に一対の開封用ハーフカット線に囲まれた摘み部が形成され、
各側部は天壁から延びるとともに先端に貼付け部を有する天壁側部パネルと、底壁から延びるとともに先端に貼付け部を有する底壁側部パネルとを有し、
各側部の両側に、正面外パネルから延びる正面外パネル側第１折込部と、正面内パネルから延びる正面内パネル側第１折込部とからなり、天壁側部パネルと底壁側部パネルとの間に折込まれた第１折込部と、
背面壁から延びるとともに、天壁側部パネルと底壁側部パネルとの間に折込まれる第２折込部とが設けられ、
第１折込部および第２折込部はブランクを折罫に沿って折畳んで形成され、
正面外パネル側第１折込部を形成する折罫のうち、正面内パネル側第１折込部に重なる部分の外面側に折罫ミシン目または折罫ハーフカット線が設けられていることを特徴とする紙容器。
【請求項２】
前記正面内パネルには、摘み部が挿入される再封止スリットが設けられていることを特徴とする請求項１記載の紙容器。
【請求項３】
正面外パネル側第１折込部は、正面外パネルに第１折罫を介して連結された第１三角形領域と、この第１三角形領域に一対の第２折罫を介して連結された一対の第２三角形領域とを有し、
第１折罫の正面内パネル側第１折込部に重なる部分および第２折罫の正面内パネル側第１折込部に重なる部分に、折罫ミシン目または折罫ハーフカット線が設けられていることを特徴とする請求項１又は２記載の紙容器。
【請求項４】
一対の第２三角形領域を区画する他の罫線のうち、正面内パネル側第１折込部に重なる部分に、折罫ミシン目または折罫ハーフカット線が設けられていることを特徴とする請求項３記載の紙容器。
【請求項５】
少なくともバリア層と紙層とを有する積層体からなり、紙層が外面にくるように折罫に沿って折り畳んで組立てることにより、６面体形状の紙容器を成形するブランクにおいて、
正面外パネルと、
この正面外パネルに貼り付けられた正面内パネルと、
天壁と、
背面壁と、
底壁と、
一対の側部とを備え、
正面外パネルに一対の開封用ハーフカット線が設けられ、正面外パネルの底壁側に一対の開封用ハーフカット線に囲まれた摘み部が形成され、
各側部は天壁から延びるとともに先端に貼付け部を有する天壁側部パネルと、底壁から延びるとともに先端に貼付け部を有する底壁側部パネルとを有し、
正面外パネルから延びる正面外パネル側第１折込部と、正面内パネルから延びる正面内パネル側第１折込部とからなり、天壁側部パネルと底壁側部パネルとの間に折込まれる第１折込部と、
背面壁から延びるとともに、天壁側部パネルと底壁側部パネルとの間に折込まれる第２折込部とが設けられ、
第１折込部および第２折込部はブランクを折り畳む折罫を有し、
正面外パネル側第１折込部を形成する折罫のうち、紙容器を組立てた場合に正面内パネル側第１折込部に重なる部分の外面側に折罫ミシン目または折罫ハーフカット線が設けられていることを特徴とするブランク。
【請求項６】
前記正面内パネルには、摘み部が挿入される再封止スリットが設けられていることを特徴とする請求項５記載のブランク。
【請求項７】
正面外パネル側第１折込部は、正面外パネルに第１折罫を介して連結された第１三角形領域と、この第１三角形領域に一対の第２折罫を介して連結された一対の第２三角形領域とを有し、
第１折罫の正面内パネル側第１折込部に重なる部分および第２折罫の正面内パネル側第１折込部に重なる部分に、折罫ミシン目または折罫ハーフカット線が設けられていることを特徴とする請求項５又は６記載のブランク。
【請求項８】
一対の第２三角形領域を区画する他の罫線のうち、正面内パネル側第１折込部に重なる部分に、折罫ミシン目または折罫ハーフカット線が設けられていることを特徴とする請求項７記載のブランク。
【発明の詳細な説明】
【技術分野】
【０００１】
本発明は、菓子等を収容した状態で販売される紙容器およびブランクに関する。さらに詳しくは、内容物が湿気を嫌う場合に適した、バリア性の高い紙容器およびブランクに関する。
【背景技術】
【０００２】
紙容器に菓子等を収容した状態で陳列販売することは、従来から普通に行われている。紙容器に収容される内容物がチョコレートやクッキー等、湿気を嫌うものである場合、個々のチョコレート、クッキー等を個別に袋に入れた状態として、これを紙容器に収容している。
【０００３】
ところでこのような紙容器は、正面壁と、天壁と、背面壁と、底壁と、一対の側部とからなる６面体形状を有しているが、バリア性がないため、内容物をバリア性のある袋体で個別包装している。また、正面壁と、天壁と、背面壁と、底壁と、一対の側部とからなる６面体形状を有し、少なくともバリア層と紙層とを有する積層体からなるブランクを折罫に沿って折畳み組立てることにより成形される紙容器も知られている。
【０００４】
このうち正面壁は正面外パネルと、この正面外パネルに貼り付けられた正面内パネルとを有している。また各側部の両側に正面壁側に位置する第１折込部と、背面壁側に位置する第２折込部が形成される。このうち第１折込部は正面外パネル側第１折込部と、正面内パネル側第１折込部とを積層して構成される。このため、この第１折込部が積層構造をもって堅固になるため成形時に反発力をもって容易に成形することができない場合がある。
【先行技術文献】
【特許文献】
【０００５】
【特許文献１】特開平９−４８４２６号公報
【特許文献２】特開平１１−２０８２１号公報
【特許文献３】特開２００３−２３２４号公報
【発明の概要】
【発明が解決しようとする課題】
【０００６】
本発明はこのような点を考慮してなされたものであり、高いバリア性を維持することができ、かつ成形を容易に行なうことができる紙容器およびブランクを提供することを目的とする。
【課題を解決するための手段】
【０００７】
本発明は、少なくともバリア層と紙層とを有する積層体からなるブランクを紙層が外面にくるよう折罫に沿って折畳んで組立ててなる６面体形状の紙容器において、正面外パネルと、この正面外パネルに貼り付けられた正面内パネルとを有する正面壁と、天壁と、背面壁と、底壁と、一対の側部とを備え、正面外パネル外面側に一対の開封用ハーフカット線が設けられ、正面外パネルの底壁側に一対の開封用ハーフカット線に囲まれた摘み部が形成され、各側部は天壁から延びるとともに先端に貼付け部を有する天壁側部パネルと、底壁から延びるとともに先端に貼付け部を有する底壁側部パネルとを有し、各側部の両側に、正面外パネルから延びる正面外パネル側第１折込部と、正面内パネルから延びる正面内パネル側第１折込部とからなり、天壁側部パネルと底壁側部パネルとの間に折込まれた第１折込部と、背面壁から延びるとともに、天壁側部パネルと底壁側部パネルとの間に折込まれる第２折込部とが設けられ、第１折込部および第２折込部はブランクを折罫に沿って折畳んで形成され、正面外パネル側第１折込部を形成する折罫のうち、正面内パネル側第１折込部に重なる部分の外面側に折罫ミシン目または折罫ハーフカット線が設けられていることを特徴とする紙容器である。
【０００８】
本発明は、正面内パネルには、摘み部が挿入される再封止スリットが設けられていることを特徴とする紙容器である。
【０００９】
本発明は、正面外パネル側第１折込部は、正面外パネルに第１折罫を介して連結された第１三角形領域と、この第１三角形領域に一対の第２折罫を介して連結された一対の第２三角形領域とを有し、第１折罫の正面内パネル側第１折込部に重なる部分および第２折罫の正面内パネル側第１折込部に重なる部分に、折罫ミシン目または折罫ハーフカット線が設けられていることを特徴とする紙容器である。
【００１０】
本発明は、一対の第２三角形領域を区画する他の罫線のうち、正面内パネル側第１折込部に重なる部分に、折罫ミシン目または折罫ハーフカット線が設けられていることを特徴とする紙容器である。
【００１１】
本発明は、少なくともバリア層と紙層とを有する積層体からなり、紙層が外面にくるよう折罫に沿って折り畳んで組立てることにより、６面体形状の紙容器を成形するブランクにおいて、正面外パネルと、この正面外パネルに貼り付けられた正面内パネルと、天壁と、背面壁と、底壁と、一対の側部とを備え、正面外パネル外面側に一対の開封用ハーフカット線が設けられ、正面外パネルの底壁側に一対の開封用ハーフカット線に囲まれた摘み部が形成され、各側部は天壁から延びるとともに先端に貼付け部を有する天壁側部パネルと、底壁から延びるとともに先端に貼付け部を有する底壁側部パネルとを有し、正面外パネルから延びる正面外パネル側第１折込部と、正面内パネルから延びる正面内パネル側第１折込部とからなり、天壁側部パネルと底壁側部パネルとの間に折込まれる第１折込部と、背面壁から延びるとともに、天壁側部パネルと底壁側部パネルとの間に折込まれる第２折込部とが設けられ、第１折込部および第２折込部はブランクを折り畳む折罫を有し、正面外パネル側第１折込部を形成する折罫のうち、紙容器を組立てた場合に、正面内パネル側第１折込部に重なる部分の外面側に折罫ミシン目または折罫ハーフカット線が設けられていることを特徴とするブランクである。
【００１２】
本発明は、正面内パネルには、摘み部が挿入される再封止スリットが設けられていることを特徴とするブランクである。
【００１３】
本発明は、正面外パネル側第１折込部は、正面外パネルに第１折罫を介して連結された第１三角形領域と、この第１三角形領域に一対の第２折罫を介して連結された一対の第２三角形領域とを有し、第１折罫の正面内パネル側第１折込部に重なる部分および第２折罫の正面内パネル側第１折込部に重なる部分に、折罫ミシン目または折罫ハーフカット線が設けられていることを特徴とするブランクである。
【００１４】
本発明は、一対の第２三角形領域を区画する他の罫線のうち、正面内パネル側第１折込部に重なる部分に、折罫ミシン目または折罫ハーフカット線が設けれらていることを特徴とするブランクである。
【発明の効果】
【００１５】
以上のように、バリア性を有するブランクを折畳むことによって紙容器が成形され、紙容器の各側部の両側に天壁側部パネルと底壁側部パネルとの間に折込まれる第１折込部と第２折込部とが形成される。このうち第１折込部は、正面外パネル側第１折込部と正面内パネル側第１折込部とからなり、正面外パネル側第１折込部を形成する折罫には、前面内フラップ側第１折込部と重なる部分に折罫ミシン目または折罫ハーフカット線が設けられている。このため第１折込部が正面外パネル側第１折込部と正面内パネル側第２折込部とからなる積層構造を有していても、第１折込部を容易に成形することができ、かつ紙容器全体のバリア性を保つことができる。
【図面の簡単な説明】
【００１６】
【図１】図１（ａ）は本発明の第１の実施の形態の紙容器を開封前の状態で示す斜視図、図１（ｂ）は一対の側部を立てた状態を示す紙容器の斜視図。
【図２】図２は図１（ａ）（ｂ）に示す紙容器を開封した状態を示す斜視図。
【図３】図３は紙容器を構成するブランクの展開図。
【図４】図４は紙容器のコーナ部とブランク上の位置との対応関係を示す図。
【図５】図５は紙容器を構成するブランクの積層構造を説明する図。
【図６】図６は第２実施形態を説明する図であって、図３中の拡大図に対応している図。
【図７】図７は第３実施形態を説明する図。
【発明を実施するための形態】
【００１７】
第１の実施の形態
次に図１乃至図５により、本発明の第１の実施の形態について説明する。
【００１８】
このうち図１（ａ）は開封前の状態の紙容器を示す斜視図であり、図１（ｂ）は一対の側部を立てた状態を示す紙容器の斜視図であり、図２は図１（ａ）の紙容器を開封した状態を示す斜視図であり、図３は紙容器を構成するブランクの展開図である。
【００１９】
図１（ａ）（ｂ）乃至図３に示すように、紙容器１０は合成樹脂製のヒートシール層（シール層ともいう）５と、紙層６と、アルミ層（バリア層）７と、合成樹脂製のヒートシール層（シール層ともいう）８とを有する積層体からなるブランク１（図５参照）を折罫ａ，ｂ，ｃ，ｄ，４４ａ，４５ａ，４６ａ，４８ａ，４９ａ等に沿って折畳み組立てることにより構成され、このような紙容器１０は６面体形状を有する。
【００２０】
すなわち紙容器１０は、正面外パネル１１ａと、この正面外パネル１１ａに重なり合って貼り付けられた正面内パネル１１ｂとを有する正面壁１１と、正面外パネル１１ａに折罫ａを介して連設された天壁１２と、天壁１２に折罫ｂを介して連設された背面壁１３と、背面壁１３に折罫ｃを介して連設された底壁１４とを備え、底壁１４と正面内パネル１１ｂとの間に折罫ｄが設けられている。
【００２１】
また正面壁１１と背面壁１３との間には、一対の側部４０、４０が設けられている。この各側部４０は、天壁１２から延びるとともに先端に貼付け部４１ａを有する天壁側部パネル４１と、底壁１４から延びるとともに先端に貼付け部４２ａを有する底壁側部パネル４２とを有している。そして天壁側部パネル４１の貼付け部４１ａと、底壁側部パネル４２の貼付け部４２ａを互いに貼付けることにより、側部４０が構成される。
【００２２】
また各側部４０の両側には、天壁側部パネル４１と底壁側部パネル４２との間に折込まれた第１折込部４３と第２折込部４７とが設けられている。
【００２３】
このうち第１折込部４３は正面壁１１側に位置し、第２折込部４７は背面壁１３側に位置している。
【００２４】
ところで紙容器１０は１枚のブランク１から組み立てられるが、このような紙容器の密封性を高めるため、紙容器１０は、以下に説明する種々の構成をもつ。
【００２５】
図４は、展開状態のブランク１と、これを組み立てて構成される紙容器１０との対応関係を示している。紙容器１０は、６面体であって、合計８つのコーナ部Ａ〜Ｈを有する。ブランク１上において、これらのコーナ部に対応する箇所Ａ〜Ｈはすべて、ブランク１の周端縁ではなく、それよりも内方側に位置している。
【００２６】
このような構成を採用した結果、組立後の紙容器１０において、すべてのコーナ部Ａ〜Ｈに隙間（開口）が生じることはなく、したがって、高い密封性を実現することができる。
【００２７】
なお、ブランク１の具体的な折り方（折罫の配置）は、図示したものに限られない。
【００２８】
（ブランク１の構成）
図３は、紙容器１０を構成するブランク１の展開図を示しており、上述のようにこれを組み立てることで図１（ａ）（ｂ）および図２に示す紙容器１０が構成される。本発明において、ブランク１は、少なくとも次の要素を含んでいる。
（１）正面壁１１を構成する正面外パネル１１ａ、正面内パネル１１ｂ。
正面内パネル１１ｂの外面に正面外パネル１１ａを貼り重ねることで、組立後の紙容器１０における正面壁１１が構成される。
（２）天壁１２。
天壁１２は、折罫ａを介して正面外パネル１１ａに連設されている。
（３）底壁１４。
底壁１４は、折罫ｄを介して正面内パネル１１ｂに連設されている。
（４）背面壁１３。
背面壁１３は、組立後の紙容器１０において正面壁１１に対向しており、折罫ｂを介して天壁１２に、折罫ｃを介して底壁１４に、それぞれ連設されている。
（５）紙容器１０は、六面体を有するため、上記各壁部以外にも左右の一対の側部４０、４０が存在する。上述のように各側部４０は天壁側部パネル４１の貼付け部４１ａと、底壁側部パネル４２の貼付け部４２ａを貼り付けることにより構成される。
【００２９】
また正面外パネル１１ａには、その端縁にそって間隔を置いた２つの切欠部２１ａ、２１ｂが形成されている。各切欠部２１ａ、２１ｂから、それぞれ、開封用ハーフカット線２２ａ、２２ｂが延在している。開封用ハーフカット線２２ａ、２２ｂは、最初は互いに平行に延在し、途中から離れる方向に延在し、さらに、天壁１２上を平行に延在して、折罫ｂにまで至る（図３参照）。
【００３０】
正面外パネル１１ａ上において、２つの切欠部２１ａ、２１ｂの間の領域（開封用ハーフカット線２２ａ、２２ｂの平行部分に挟まれた領域）は、開封用摘み部２５として機能する。つまり、消費者は、開封用摘み部２５を摘んで、開封用ハーフカット線２２ａ、２２ｂに沿って、紙容器１０を上方へ破り開けることができる。なお、開封後は、正面内パネル１１ｂの内側に開封用摘み部２５を差し込むことや後に説明する再封止スリット３１に、開封用摘み部２５を差し込むことで、紙容器１０を再封止することができる（図２参照）。
【００３１】
開封用ハーフカット線２２ａ、２２ｂは、ブランク１を貫通することなく、外表面のヒートシール層５および紙層６を切り込んで構成されている（図５参照）。なお、図５に示した例では、ハーフカットは紙層６を貫通しているが、紙層６の途中までのハーフカットとしてもよい。
【００３２】
正面内パネル１１ｂには、図３中に部分的に拡大して示したように、再封止スリット３１と、第１剥離用ハーフカット線３２ａ、３２ｂと、第２剥離用ハーフカット線３５ａ〜ｃとが形成されている。これらについて説明する。
【００３３】
（再封止スリット３１）
再封止スリット３１は、開封後の紙容器１０を再度封止することを可能とするもので、図５中に示したフルカット部分により、ブランク１の全厚を貫通して形成されている。なお、図３中に拡大して示したように、再封止スリット３１は、フルカット部分の途中に、未カットの連設部分３１’を備えている。
【００３４】
連設部分３１’は、再封止スリット３１が不用意に破断するのを防止する意味で設けている。図示した例では、連設部分３１’を２箇所に設けているが、適宜の数を設定することができる。
【００３５】
（第１剥離用ハーフカット線３２ａ、３２ｂ）
正面外側フラップ１１ａには２本の開封用ハーフカット線２２ａ、２２ｂが形成されているが、正面内側フラップ１１ｂ上のこれに対応する位置に、２本の第１剥離用ハーフカット線３２ａ、３２ｂを形成している。
【００３６】
この第１剥離用ハーフカット線３２ａ、３２ｂは、後に説明する第２剥離用ハーフカット線３５ａ〜３５ｃと同様、紙容器１０の開封操作時に、正面内側フラップ１１ｂから正面外側フラップ１１ａを引き剥がし易くするために設けている。
【００３７】
（第２剥離用ハーフカット線３５ａ〜３５ｃ）
第２剥離用ハーフカット線３５ａ〜３５ｃは、再封止スリット３１に沿ってその両側に少なくとも１本ずつ形成される。図３に示した例では、再封止スリット３１の上方に１本、下方に２本の第２剥離用ハーフカット線３５ａ〜３５ｃを設けているが、少なくとも再封止スリット３１の上下に１本ずつ存在すれば、他の構成であってもよい。
【００３８】
この第２剥離用ハーフカット線３５ａ〜３５ｃは、紙容器１０の開封操作時に、正面内側フラップ１１ｂから正面外側フラップ１１ａを引き剥がし易くするために設けている。
【００３９】
第２剥離用ハーフカット線３５ａ〜３５ｃが複数本存在するのは、後述する第２実施形態の場合と同じく、位置ズレを吸収する意味がある。詳しくは後述する。
【００４０】
（剥離層５０）
図３中に部分的に拡大して示した正面内側フラップ１１ｂにおいて、ヨコ方向に延在する再封止スリット３１および第２剥離用ハーフカット線３５ａ〜３５ｃは、すべて、タテ方向に延在する第１剥離用ハーフカット線３２ａ、３２ｂの両方と交差して延在している。
【００４１】
両サイドでタテ方向に延在する２本の第１剥離用ハーフカット線３２ａ、３２ｂに挟まれる領域には、再封止スリット３１の部分を除き、剥離層５０を設けている。正面内側フラップ１１ｂ上に灰色で示した領域５０が剥離層が配置される領域である。
【００４２】
ヨコ方向の拡がりに関して言うと、図面上では、剥離層５０が第１剥離用ハーフカット線３２ａ、３２ｂに挟まれた領域に剥離層５０が存在すれば足りる。
【００４３】
タテ方向の拡がりに関して言うと、再封止スリット３１を避けて、かつ、第２剥離用ハーフカット線３５ａ〜３５ｃを覆っていれば足りる。
【００４４】
剥離層５０は、紙容器１０の密封性を確保するとともに、開封作業を容易にするために、第１剥離用ハーフカット線３２ａ、３２ｂおよび第２剥離用ハーフカット線３５ａ〜３５ｃで囲まれた領域に設けられている。
【００４５】
（積層構造、ハーフカット、フルカット（図５））
ブランク１の積層構造は、次の通りである。すなわち、図５に模式的に示したように、ブランク１の外表面と内表面に、それぞれシール層５、８が位置する。そして、両シール層５、８の間において、外表面側の紙層６と内表面側のアルミ層７が形成される。紙容器１０を組み立てたとき、シール層５が紙容器１０の外側に、シール層８が紙容器１０の内側にくる。
【００４６】
最も外側と内側にシール層が存在すること、および両シール層間において、紙層よりもアルミ層７の方が内側に存在していれば、積層構造中に他の層が含まれてもよい。
【００４７】
アルミ層７は、紙容器１０に湿気、酸素等に対するバリア特性を与えるものであり、したがって、アルミ層７にはカットを入れないことが好ましい。そのため、開封用ハーフカット線２２ａ、２２ｂ、第１剥離用ハーフカット線３２ａ、３２ｂ、第２剥離用ハーフカット線３５ａ〜３５ｃは、すべて、図５中に示したハーフカット部分のように、ブランク１を貫通することなく、外表面のシール層５および紙層６を切り込んで構成されている（バリア特性を与えるアルミ層７までは達しない）。なお、図示した例では、ハーフカットは紙層６を貫通しているが、紙層６の途中までのハーフカットとしてもよい。
【００４８】
唯一、再封止スリット３１は、ブランク１全厚を貫通するフルカット部分（図５参照）として構成される。しかし、再封止スリット１の周辺領域は、紙容器１０を組み立てる際に、シール層５、８によるシールで塞がれるので、密封性が損なわれることはない。また、再封止スリット３１を構成するフルカット部分の途中に、未カットの連設部分３１’を備えることで、スリットが不用意に開口してしまうことを防いでいる。
【００４９】
次に各側部４０の両側に設けられた第１折込部４３と、第２折込部４７について説明する。
【００５０】
各第１折込部４３は正面外パネル１１ａから延びる正面外パネル側第１折込部４３Ａと、正面内パネル１１ｂから延びる正面内パネル側第１折込部４３Ｂとからなり、第１折込部４３は天壁側部パネル４１と底壁側部パネル４２との間に折込まれている。
【００５１】
また正面外パネル側第１折込部４３Ａは、図３に示すように正面外パネル１１ａに第１折罫４４ａを介して連結された第１三角形領域４４と、この第１三角形領域４４に一対の第２折罫４５ａを介して連結された一対の第２三角形領域４５とを有している。
【００５２】
また各第２三角形領域４５は、他の折罫４６ａにより区画されており、各第２三角形領域４５はこの他の折罫４６ａを介して４角形状の貼付け部４６に連結され、各４角形状の貼付け部４６は各々天壁側部パネル４１の貼付け部４１ａおよび後述する正面内パネル側第１折込部４３Ｂに貼付けられる。
【００５３】
ところで第１折込部４３を構成する正面外パネル側第１折込部４３Ａと、正面内パネル側第１折込部４３Ｂは、正面外パネル側第１折込部４３Ａが外側へくるよう互いに積層されている。この場合、正面内パネル側第１折込部４３Ｂの上端縁は、第１三角形領域４４の頂点４４ｂ近傍まで達する（図３参照）。
【００５４】
このため、正面外パネル側第１折込部４３Ａの一対の第２三角形領域４５のうち、図３において下方の第２三角形領域４５は正面内パネル側第１折込部４３Ｂと重なり合い、図３において上方の第２三角形領域４５は正面内パネル側折込部４３Ｂと重なることはない。
【００５５】
この場合、正面外パネル側第１折込部４３Ａの第１三角形領域４４を区画する第１折罫４４ａ、一対の第２の三角形領域４５を区画する第２折罫４５ａおよび他の折罫４６ａには、正面内パネル側第１折込部４３Ｂと重なる部分に、折罫ミシン目または折罫ハーフカット線５５が設けられている。
【００５６】
このように正面外パネル側第１折込部４３Ａに設けられた第１折罫４４ａ、第２折罫４５ａおよび他の折罫４６ａのうち、正面内パネル側第１折込部４３Ｂと重なる部分に折罫ミシン目または折罫ハーフカット線５５が設けられている。このため、正面外パネル側第１折込部４３Ａと正面内パネル側第１折込部４３Ｂとが互いに積層してこの部分が積層構造をもって堅固に構成されたとしても、折罫ミシン目または折罫ハーフカット線５５により第１折込部４３を容易に成形することができ、この第１折込部４３を天壁側部パネル４１と底部側部パネル４２との間に容易に折込むことができる。
【００５７】
また、第２折込部４７は背面壁１３に第１折罫４８ａを介して連結された第１三角形領域４８と、この第１三角形領域４８に一対の第２折罫４９ａを介して連結された一対の第２三角形領域４９とを有している。
【００５８】
次にこのような構成からなる本実施の形態の作用について説明する。
【００５９】
まず上述した層構成を有するブランク１を準備する。
【００６０】
次にブランク１を折罫ａ，ｂ，ｃ，ｄに沿って折り畳み、正面外パネル１１ａと正面内パネル１１ｂを重ね合せて貼り付ける。
【００６１】
次にブランク１を組み立て、内容物を収納した後、ブランク１を折罫４４ａ、４５ａ、４６ａに沿って折畳むことにより、正面外パネル側第１折込部４３Ａと、正面内パネル側第１折込部４３Ｂとからなる第１折込部４３を形成する。同時にブランク１を折罫４８ａ、４９ａに沿って折畳んで第２折込部４７を形成する。
【００６２】
その後第１折込部４３と第２折込部４７を、各々天壁側部パネル４１と底壁側部パネル４２との間に折込み、天壁側部パネル４１の貼付け部４１ａと底壁側部パネル４２の貼付け部４２ａとを貼付けることにより一対の側部４０、４０を形成する。
【００６３】
このようにして６面体形状の紙容器１０を成形することができる。
【００６４】
ところで正面外パネル側第１折込部４３Ａに設けられた第１折罫４４ａ、第２折罫４５ａおよび他の折罫４６ａのうち、正面内パネル側第１折込部４３Ｂと重なる部分に折罫ミシン目または折罫ハーフカット線５５を設けたことにより、正面外パネル側第１折込部４３Ａと正面内パネル側第１折込部４３Ｂとが互いに積層してこの部分が積層構造をもって堅固に構成されたとしても、第１折込部４３を容易に成形して天壁側部パネル４１と底部側部パネル４２との間に折込むことができる。また折罫ミシン目または折罫ハーフカット線５５は正面外パネル側第１折込部４３Ａのうち正面内パネル側第１折込部４３Ｂと重なる部分に設けられているので、折罫ミシン目または折罫ハーフカット線５５を設けたとしても紙容器１０のバリア性が低下することはない。
【００６５】
紙容器１０の開封作業は、正面外側フラップ１１ａに形成した開封用摘み部２５を摘んで行う。このとき正面内側フラップ１１ｂから正面外側フラップ１１ａが剥離し易いように、第１剥離用ハーフカット３２ａ、３２ｂおよび第２剥離用ハーフカット線３５ａ〜３５ｃを設けるとともに、これらに囲まれた領域に剥離層５０を設けている。この囲まれた領域内に再封止スリット３１が存在するが、剥離層５０は、再封止スリット３１を避けるように配置しているので、再封止スリット３１はシール層５、８によるシールで確実に塞がれて、密封性が損なわれることはない。
【００６６】
しかも、再封止スリット３１は、ブランク１を貫通するフルカット部分の途中に、未カットの連設部分３１’を備えて構成されているので、不用意に当該スリットが開口して密封が損なわれる、という事業は非常に生じにくくなる。
【００６７】
第２の実施の形態
次に図６により、本発明の第２の実施の形態について説明する。図６に示す紙容器１０は、上に説明した第１の実施の形態に対して、第１剥離用ハーフカット線３２ａ、３２ｂの構成のみが異なるので、この点だけを説明する。
【００６８】
第１の実施の形態では、第１剥離用ハーフカット線３２ａ、３２ｂが両サイドに２本形成されていた。第２の実施の形態では、これらハーフカット線３２ａ、３２ｂのそれぞれに対し、隣接する別の第１剥離用ハーフカット線３２ａ’、３２ｂ’を少なくとも１本形成している。
【００６９】
このように、第１剥離用ハーフカット線を左右両サイドにそれぞれ複数本ずつ設ける意味は、位置ズレの吸収である。すなわち、製造ラインにおいて、正面内パネル１１ｂ上に剥離層５０を塗布する際、剥離層５０は、当然に第１剥離用ハーフカット線３２ａ、３２ｂの両方を覆うように配置されるべきものである。
【００７０】
しかし、実際には製造工程上のズレが生じてしまう場合もある。図６に示した第２の実施の形態のように、左右両サイドにそれぞれ２本ずつ第１剥離用ハーフカット線が存在することでこのズレを吸収し、不良品の発生率を低く抑えることができる。
【００７１】
上述の第１の実施の形態において、第２剥離用ハーフカット３５ａ〜３５ｃを複数本設けているのも同じ意味合いを有する。
【００７２】
図６に示した例では、第１剥離用ハーフカット線は両サイドに２本ずつ（合計４本）であるが、さらに多くのハーフカット線を設けてもよい。
【００７３】
なお、再封止スリット３１および第２剥離用ハーフカット線３５ａ〜３５ｃは、すべての第１剥離用ハーフカット線３２ａ、３２ｂ、３２ａ’、３２ｂ’・・・と交差して延在するよう設ける。また、剥離層５０は、最も外側の２本の第１剥離用ハーフカット線（図示の例では３２ａ’、３２ｂ’）に挟まれた領域で、再封止スリット３１を避けて設ける。
【００７４】
第３の実施の形態
次に図７により、本発明の第３の実施の形態について説明する。図７に示す紙容器１０は、上に説明した第１、２の実施の形態に対して、ブランク１’に延長パネル１１ｃを設けた点のみが異なるので、この点だけを説明する。図７は、ブランク１’と紙容器１０’の対応関係を示している。
【００７５】
ブランク１’においては、正面内パネル１１ｂよりも上方に延長パネル１１ｃを追加形成している。両者は、折罫ｆを介して連設されている。折罫ｆおよび延長パネル１１ｃは、組立後の紙容器１０’において、図７の一部破断図に示した位置にくる。すなわち、延長パネル１１ｃは、折罫ｆにおいて、紙容器の外側方向に折り返されている。
【００７６】
ブランク１’の積層構造は、図５で説明した通りであるが、ブランク周端縁においては、紙層６が露出することとなる。この露出した端縁に、例えば内容物であるチョコレートやクッキー等が接触すると、紙層６に油分が侵入して、紙容器表面にシミとなって現れる等の悪影響が出る。
【００７７】
これを防ぐため、第３の実施の形態では、延長パネル１１ｃを設けて、折罫ｆにて外側方向へ折り返している。これにより、端縁１１ｄに内容物が接触することがなくなるので、端縁１１ｄから油分が積層構造内にしみ込むのを防止できる。
【００７８】
この折り返しの代わりに、延長パネル１１ｃに対して、スカイブヘミング処理してもよい。この場合、折罫ｆは設けなくてもよい。
【符号の説明】
【００７９】
１、１’  ブランク
５  シール層
６  紙層
７  アルミ層
８  シール層
１０、１０’  紙容器
１１  正面壁
１１ａ  正面外パネル
１１ｂ  正面内パネル
１１ｃ  延長フラップ
１１ｄ  端縁
１２  天壁
１３  背面壁
１４  底壁
２１ａ、２１ｂ  切欠部
２２ａ、２２ｂ  開封用ハーフカット線
２５  開封用摘み部
３１  再封止スリット
３１’  連設部分
３２ａ、３２ｂ、３２ａ’、３２ｂ’  第１剥離用ハーフカット線
３５ａ、３５ｂ、３５ｃ  第２剥離用ハーフカット線
４０  側部
４１  天壁側部パネル
４１ａ  貼付け部
４２  底壁側部パネル
４２ａ  貼付け部
４３  第１折込部
４３Ａ  正面外パネル側第１折込部
４３Ｂ  正面内パネル側第１折込部
４４  第１三角形領域
４４ａ  第１折罫
４５  第２三角形領域
４５ａ  第２折罫
４６ａ  他の折罫
５０  剥離層
５５  折罫ミシン目または折罫ハーフカット線
【図１】
0005772507.tif 000002
【図２】
0005772507.tif 000003
【図４】
0005772507.tif 000004
【図５】
0005772507.tif 000005
【図７】
0005772507.tif 000006
【図３】
0005772507.tif 000007
【図６】
0005772507.tif 000008